(57)【要約】【課題】  操作面を天板上面および天板下面の略垂直面のいずれの面に向ける場合であっても、操作体を天板に対して簡単に取り付けられるようにすること。【解決手段】  テーブルの天板５１に組み込まれる調理器本体２と、調理器本体２に接続コード４を介して連結された操作体３とを備えた組込型加熱調理器１において、操作体３の構造として、操作部本体２１のケース正面２２ａに操作面２３を設けるとともに、ケース背面２２ｂの左右両縁部に延設される第一の取付片３１−１と、ケース背面２２ｂの上縁部に延設される第二の取付片３１−２とを一体成形する。そして、操作面２３を天板上面５１ａに向ける場合には第一の取付片３１−１を天板下面５１ｂに螺着し、操作面２３を天板下面５１ｂの垂直面に向ける場合には第二の取付片３１−２を天板下面５１ｂに螺着して固定する。【選択図】  図３
2006112676.tif 000002
【特許請求の範囲】
【請求項１】
テーブルの天板に組み込まれる調理器本体と、この調理器本体に接続コードを介して連結された操作体とを備えた組込型加熱調理器であって、
上記操作体は、
操作部本体のケース正面に操作面が設けられるとともに、ケース背面の左右両縁部に延設された第一の取付片と、ケース背面の上縁部に延設された第二の取付片とが一体に形成されている
ことを特徴とする組込型加熱調理器。
【請求項２】
上記第二の取付片は、
上記操作部本体のケース上面よりも上方に突出し、かつ、その先端部を折り曲げて後方に向かい上り勾配とした傾斜面に取付面が設けられるとともに、この取付面の延長上に上記操作部本体のケース正面の上縁部が一致する傾斜角度に設定されている
ことを特徴とする請求項１に記載の組込型加熱調理器。
【発明の詳細な説明】
【技術分野】
【０００１】
本発明は、テーブルの天板に組み込まれ、調理器本体とその操作体を接続コードで連結した組込型加熱調理器に関するものである。
【背景技術】
【０００２】
従来、飲食店等において、テーブルの天板に設置される加熱調理器として、調理器本体と操作体が分離された構造のものが知られている（例えば、特許文献１参照）。同加熱調理器は、調理器本体に電磁誘導加熱式ヒータ等からなる加熱部が内蔵され、操作体には加熱部の熱量等を調節する操作ボタンが設けられており、調理器本体と操作体を接続コードで連結した構造になっている。
【０００３】
【特許文献１】特開平８−３１２９６８号公報
【０００４】
ところで、この種の加熱調理器において、調理器本体は特許文献１と同様にテーブルの天板上面に嵌め込み固定されるが、操作体については同文献のようなテーブルの幕板に取り付ける例に限らず、例えば、図６や図７に示すような各種の取付例も考えられる。
【０００５】
図６は、操作面を天板上面に向けて取り付ける例を示すものである。同図の例では、天板５１の端面に切り欠き部が形成されており、その切り欠き部に対し、操作体６１の操作面６１ａが天板上面５１ａを向くように嵌め込むものとしている。また、操作体６１の背面に対し水平な取付面を有する固定金具６２を天板下面５１ｂに当接させ、固定金具６２に挿通させた取付ネジ６３を天板５１に螺着することにより、操作体６１が天板５１に固定される。
【０００６】
図７は、操作面を天板下面の垂直面に向けて取り付ける例を示すものである。同図の例では、まず操作体７１の上面に対し水平な取付面を有する固定金具７２を、固定ネジ７３によって操作体７１に装着する。そして、操作体７１の操作面７１ａが前方を向くようにして固定金具７２を天板下面５１ｂに当接させ、固定金具７２に挿通させた取付ネジ７４を天板５１に螺着することにより、操作体７１が天板５１に固定される。また、操作体７１は、操作面７１ａの下部が上部よりも手前に出るように傾斜を持たせている。
【０００７】
しかしながら、上述した従来の取付例によると次のような問題があった。すなわち、操作体を天板に取り付ける前に、専用の固定金具を操作体に装着するという手間を有していた。また、図６のように操作面を天板上面に向けて取り付ける場合と、図７のように操作面を天板下面の垂直面に向けて取り付ける場合とでは、固定金具の取付面を異なる方向に向ける必要がある。そのため、操作体の取付姿勢に応じて異なる製品として設定されるかもしくは２種類の固定金具を用意する必要があった。
【発明の開示】
【発明が解決しようとする課題】
【０００８】
本発明は、このような事情に鑑みてなされたものであり、その目的とするところは、調理器本体から分離された操作体をテーブルの天板に取り付けるとき、操作面を天板上面および天板下面に対する垂直面のいずれの面に向ける場合であっても、操作体を天板に対して簡単に取り付けられるようにした組込型加熱調理器を提供することにある。
【課題を解決するための手段】
【０００９】
本発明に係る組込型加熱調理器は、上述した目的を達成するため、テーブルの天板に組み込まれる調理器本体と、この調理器本体に接続コードを介して連結された操作体とを備えた組込型加熱調理器であって、上記操作体は、操作部本体のケース正面に操作面が設けられるとともに、ケース背面の左右両縁部に延設された第一の取付片と、ケース背面の上縁部に延設された第二の取付片とが一体に形成されていることを特徴とする。
【００１０】
この組込型加熱調理器において、操作面を天板上面に向けて取り付ける場合には、天板の端面に形成された切り欠き部に対し、操作部本体のケース正面を上方に向けた姿勢で嵌め込み、ケース背面の左右両縁部にある第一の取付片を天板下面に螺着固定するものとする。一方、操作面を天板下面の垂直面に向けて取り付ける場合には、操作部本体のケース正面を前方に向けた姿勢とし、ケース背面の上縁部にある第二の取付片を天板下面に螺着固定すればよい。
【００１１】
また、本発明の好適な実施態様として、上記第二の取付片は、上記操作部本体のケース上面よりも上方に突出し、かつ、その先端部を折り曲げて後方に向かい上り勾配とした傾斜面に取付面が設けられるとともに、この取付面の延長上に上記操作部本体のケース正面の上縁部が一致する傾斜角度に設定されていることが望ましい。
【発明の効果】
【００１２】
本発明に係る組込型加熱調理器によれば、以下のような効果が得られる。
【００１３】
（１）操作体のケース背面に操作部本体を天板に取り付けるための取付片が一体に形成されているので、取付前に専用の固定金具を操作部本体に装着するという面倒な作業を廃止できる。また、操作面を天板上面に向ける場合には第一の取付片を選択して天板下面に固定し、一方、天板下面の垂直面に向ける場合には第二の取付片を選択して天板下面に固定するだけの作業で済むので、従来のように取付姿勢に応じて異なる製品を用意したり、あるいは２種類の固定金具を用意したりする必要がなく、操作体を天板に対して簡単かつ確実に取り付けることが可能である。
【００１４】
（２）第二の取付片の取付面を傾斜面とすることにより、天板下面に対し操作部本体が傾倒した姿勢で取り付けられるため、操作面が天板下面に対する垂直面よりも上方に向けられ、操作面上にある操作ボタンの操作性や表示ランプの視認性が向上する。また、同取付面の延長上にケース正面の上縁部が一致する傾斜角度に設定されていると、取付時にケース正面の上縁部が天板下面に当接し、操作部本体が隙間の無い状態で取り付けられる。このように、使用時における操作性や視認性を向上させるために、操作面を傾斜面や曲面に成形する必要がなく平面形状のままで対応できるので、天板上面に向けて取り付ける場合において操作面を天板と水平にすることができ、また、操作部本体の金型製作を廉価に行うことができる。
【発明を実施するための最良の形態】
【００１５】
以下、本発明を実施するための最良の形態について、添付した図面を参照しながら詳細に説明する。
【００１６】
図１に示すように、本発明に係る組込型加熱調理器１は、飲食店等に設置されたテーブルに組み込まれる調理用機器であり、分離して構成された調理器本体２と操作体３が接続コード４を介して連結されている。
【００１７】
本実施形態において、調理器本体２は、筐体１１の内側に電磁誘導加熱部として磁力発生コイル（図示せず）を内蔵し、その上面に耐熱性の結晶化ガラスで構成されたトッププレート１２を装着したものである。磁力発生コイルに通電すると磁力線が発生し、その磁力線がトッププレート１２上の金属鍋を通過するときに渦電流に変化して、金属の電気抵抗で鍋自体が発熱するようになっている。
【００１８】
また、図示しないが、筐体１１の内側には、電源コード５を介して磁力発生コイルに供給される高周波電流をインバータ制御する主制御回路基板と、磁力発生コイルおよび主制御回路基板を冷却する冷却ファンが内蔵されている。
【００１９】
このように構成された調理器本体２は、図２のようにしてテーブルの天板５１に取り付けられる。すなわち、天板５１の略中央には筐体１１を収容する開口部５２が開設されており、この開口部５２の周縁には天板上面５１ａよりも一段低い位置にトッププレート１２の外形と同じ大きさの段部５３が形成されている。そして、筐体１１を開口部５２に嵌め込むとともにトッププレート１２の周縁を段部５３上に載置することにより、調理器本体２が天板５１に固定される。このとき、図示するように、トッププレート１２の上面、つまり鍋が置かれる調理面１２ａが天板上面５１ａと同一面となるように取り付けられることになる。
【００２０】
ところで、調理器本体２には接続コード４を介して操作体３が連結されているが、本実施形態の操作体３では、テーブルの天板５１に対して簡単に取付可能な構造が採用されている。
【００２１】
図３に示すように、操作体３の操作部本体２１は、箱型のケース２２の正面が操作面２３とされており、この操作面２３には操作部２５として電源ボタン２５ａ、入力切替ボタン２５ｂ、および火力調節ボタン２５ｃが設けられている。また、同操作面２３には操作部２５の各ボタンに対応した表示部２６として、電源表示ランプ２６ａ、入力表示ランプ２６ｂ、および火力表示ランプ２６ｃが設けられている。
【００２２】
そして、ケース２２の内側には操作表示基板（図示せず）が内蔵されていて、操作部２５のボタン群を押下して入力された信号を接続コード４経由で上記主制御回路基板に送信し、かつ、主制御回路基板により制御された電磁誘導加熱部の加熱状態を受信して表示部２６の各表示ランプで点灯表示するようになっている。
【００２３】
一方、操作面２３の反対側、つまりケース２２の背面には、操作部本体２１を天板に取り付けるための取付片３１がケース２２と一体に形成されており、ケース２２を蓋するカバー機能も兼ねている。よって、操作部本体２１を天板に取り付けるための専用の固定金具を別途用意する必要がなく、しかも、そのような固定金具を操作部本体２１に装着するといった面倒な作業も不要である。また、取付片３１は、天板上面用の第一の取付片３１−１と天板下面用の第二の取付片３１−２を備えて構成されており、操作部本体２１の取付姿勢に応じて２種類ある取付片３１のうちの一方を選択できるようになっている。
【００２４】
図３（ａ）（ｂ）に示すように、第一の取付片３１−１はケース背面２２ｂの左右両縁部に延設され、ケース側面２２ｃから２箇所ずつ突出して設けられている。この第一の取付片３１−１はすべての取付面がケース背面２２ｂに対し水平面とされ、厚み方向にそれぞれ貫通孔３２が形成されている。これら第一の取付片３１−１は、操作面２３を天板上面に向けて取り付ける場合に使用するものである。
【００２５】
それに対し、第二の取付片３１−２はケース背面２２ｂの上縁部に延設されている。この第二の取付片３１−２は、操作面２３を天板下面の略垂直面に向けて取り付ける場合に使用される。ここで、第二の取付片３１−２は、その取付面をケース背面２２ｂに対し垂直面としてもよいが、本実施形態では使用時における操作面２３の操作性および視認性を考慮して、次のように構成されている。
【００２６】
すなわち、図３（ｃ）に示すように、第二の取付片３１−２はケース上面２２ｄよりも上方に垂直に突出し、かつ、後方に向けて折り曲げられた先端部（以下「先端折り曲げ部」という。）３４を有している。先端折り曲げ部３４はまた、後方に向かって上り勾配となる傾斜面になっており、同傾斜面が取付面３４ａとされ、厚み方向に貫通孔３３が形成されている。さらに、この傾斜した取付面３４ａは、その延長上（図中点線で示す）にケース正面２２ａの上縁部が一致する傾斜角度に設定されている。
【００２７】
次に、このように構成された操作体３の取付方法について説明する。
【００２８】
図４に示すように、この操作体３は、テーブルの天板５１に対し操作面２３を天板上面５１ａに向けて取り付けることができる。すなわち、天板５１の端面には操作部本体２１を挿入する切り欠き部５４が形成されており、この切り欠き部５４に対し、操作面２３が天板上面５１ａを向くように操作部本体２１を嵌め込むものとする。そして、ケース背面２２ｂの左右両縁部に設けられている第一の取付片３１−１を天板下面５１ｂに当接させ、貫通孔３２に挿通させた取付ネジ３５を天板５１に螺着することにより、操作部本体２１が天板５１に固定される。このとき、使用しない第二の取付片３１−２は、同図のように第一の取付片３１−１よりも後方にあり、しかも、天板下面５１ｂよりも下方に配置されるので、取付作業時に邪魔になることはない。
【００２９】
一方、図５に示すように、この操作体３は、テーブルの天板５１に対し操作面２３を天板下面５１ｂの略垂直面に向けて取り付けることも可能である。すなわち、ケース背面２２ｂの上縁部に設けられている第二の取付片３１−２を天板下面５１ｂに当接させ、貫通孔３３に挿通させた取付ネジ３５を天板５１に螺着することにより、操作部本体２１が天板５１に固定される。このとき、使用しない第一の取付片３１−１は、同図のようにケース背面２２ｂに対し水平面であり、第二の取付片３１−２の下方位置に入り込んでいないので、取付作業時に邪魔になることはない。
【００３０】
また、本実施形態では、第二の取付片３１−２の取付面３４ａが傾斜面であり、同図のように取付後には操作部本体２１が傾倒した姿勢で固定されている。そのため、操作面２３が天板下面５１ｂに対する垂直面よりも若干上方に向けられることになり、使用時において、操作面２３上にある操作部２５の各ボタンの操作性や、表示部２６の各表示ランプの視認性が一段と向上する。さらに、第二の取付片３１−２は、取付面３４ａの延長上にケース正面２２ａの上縁部が一致する傾斜角度とされているため、ケース正面２２ａの上縁部が天板下面５１ｂに当接し、操作部本体２１と天板５１との間に隙間が無い状態で取り付けることができる。よって、使用時における操作性や視認性を向上させるために、操作面２３を傾斜面や曲面に成形する必要がなく平面形状のままで対応できるので、天板上面５１ａに向けて取り付ける場合において、操作面２３を天板５１と水平にすることができ、また、操作部本体２１の金型製作が廉価に行えるという利点がある。
【００３１】
なお、図中点線で示すように、操作体３は天板５１の端面から飛び出さないように取り付けるのが望ましい。それは、取付ネジ３５の固定位置を天板５１の前後方向にずらすことで調節できる。
【００３２】
このように、本発明の組込型加熱調理器１によれば、操作面２３を天板上面５１ａに向けて取り付けたい場合には、図４のように第一の取付片３１−１を選択して操作体３を固定すればよく、一方、操作面２３を天板下面５１ｂの略垂直面に向けて取り付けたい場合には、図５のように第二の取付片３１−２を選択して操作体３を固定すればよい。したがって、従来のように取付姿勢に応じて異なる製品を用意したり、あるいは２種類の固定金具を用意したりする必要がなく、操作面２３をいずれの面に向ける場合であっても、操作体３を天板５１に対して簡単かつ確実に取り付け固定することが可能である。
【００３３】
以上説明した実施形態では、調理器本体の加熱方式として電磁誘導加熱式ヒータを用いているが、本発明は、これに限らず、ニクロム線からなるラジエントヒータやその他の加熱方式を使用した組込型加熱調理器にも同様に適用できるものである。
【図面の簡単な説明】
【００３４】
【図１】本発明に係る組込型加熱調理器の全体構造を示す平面図。
【図２】テーブルの天板に調理器本体を取り付けた状態を示す断面図。
【図３】操作体の構成を示す正面図、上面図、および側面図。
【図４】テーブルの天板に対し操作面を天板上面に向けて取り付けた状態を示す正面図。
【図５】テーブルの天板に対し操作面を天板下面の略垂直面に向けて取り付けた状態を示す側面図。
【図６】従来における操作体の取付方法の一例を示す説明図。
【図７】従来における操作体の取付方法の他の例を示す説明図。
【符号の説明】
【００３５】
１      組込型加熱調理器
２      調理器本体
３      操作体
４      接続コード
５      電源コード
１１      筐体
１２      トッププレート
１２ａ    調理面
２１      操作部本体
２２      ケース
２２ａ    ケース正面
２２ｂ    ケース背面
２２ｃ    ケース側面
２２ｄ    ケース上面
２３      操作面
２５      操作部
２５ａ    電源ボタン
２５ｂ    入力切替ボタン
２５ｃ    火力調節ボタン
２６      表示部
２６ａ    電源表示ランプ
２６ｂ    入力表示ランプ
２６ｃ    火力表示ランプ
３１      取付片
３１−１  第一の取付片
３１−２  第二の取付片
３２      貫通孔
３３      貫通孔
３４      先端折り曲げ部
３４ａ    取付面
３５      取付ネジ
５１      天板
５１ａ    天板上面
５１ｂ    天板下面
５２      開口部
５３      段部
５４      切り欠き部
【図１】
2006112676.tif 000003
【図２】
2006112676.tif 000004
【図３】
2006112676.tif 000005
【図４】
2006112676.tif 000006
【図５】
2006112676.tif 000007
【図６】
2006112676.tif 000008
【図７】
2006112676.tif 000009